(57)【要約】【課題】特殊な連結具を用いてパネル体を増やしてゆくだけで形やスペースを変えることのできる乳幼児等のための囲い枠を提供する。【解決手段】柵状に形成したパネル体を、山６と谷７で構成した係合面５ｃを有する第１部材３ａと第２部材３ｂからなる連結具３を用いて複数枚連結して、パネル体の枚数を増やすことで平面視四角形状，五角形状，六角形状，七角形状，八角形状に可変可能な囲い枠を形成させる。【選択図】図４
0003145500.tif 000002
【実用新案登録請求の範囲】
【請求項１】
柵状に形成したパネル体を、蝶番構造の連結具で複数枚連結して、平面視多角形状に組み立てたことを特徴とする乳幼児等のための囲い枠。
【請求項２】
各パネル体は同一形状をなし、各パネル体の左右端縁の上下２個所が前記連結具で連結されている請求項１に記載の乳幼児等のための囲い枠。
【請求項３】
前記パネル体の枚数を増やすことにより、平面視四角形状，五角形状，六角形状，七角形状，八角形状に可変可能であることを特徴とする請求項１または請求項２に記載の乳幼児等のための囲い枠。
【請求項４】
前記連結具は、互いに隣接する一方側のパネル体に固定される第１部材と他方側のパネル体に固定される第２部材とで構成され、該第１部材および第２部材は、それぞれ前記パネル体に固定される固定片部に一体化されて上下方向に貫通する軸孔を有する筒部を備え、第１部材の軸孔と第２部材の軸孔を上下方向に整合させて両軸孔内に１本のボルトを挿通させることで第１部材と第２部材は互いに水平面内で回動可能に連結されるように構成されているとともに、第１部材の筒部と第２部材の筒部が当接する部位には水平面内での連結角度を選択して係合できる係合面が形成されていることを特徴とする請求項１に記載の乳幼児等のための囲い枠。
【請求項５】
前記係合面は、山と谷が交互に形成され、第１部材側の山が第２部材側の谷に係合して連結角度が固定される構造であることを特徴とする請求項４に記載の乳幼児等のための囲い枠。
【考案の詳細な説明】
【技術分野】
【０００１】
本考案は、子供用施設や家庭などで使用される乳幼児あるいはペット等を囲っておく囲い枠に関するものである。
【背景技術】
【０００２】
従来、例えば特許文献１に開示されているように、剛性サークル体の内側に緩衝シートを取り付けて構成した乳幼児用サークルが存在する。
【特許文献１】特開２０００−６０６８９号公報
【考案の開示】
【考案が解決しようとする課題】
【０００３】
上記従来の乳幼児サークルでは、サークルの形状が限定されており、形状や面積を変えることはできないものであった。
【課題を解決するための手段】
【０００４】
本考案は、自由に平面視形状を変えることができ、また、面積を自由に変えることができて、設置場所等に良好に対応できる乳幼児等のための囲い枠の提供を目的とし、この目的の少なくとも一部を達成するために以下の手段を採った。
本考案の乳幼児等のための囲い枠は、柵状に形成したパネル体を、蝶番構造の連結具で複数枚連結して、平面視多角形状に組み立てたことを要旨とする。
【考案の効果】
【０００５】
本考案の乳幼児等のための囲い枠では、連結具を介してパネル体を複数枚連結して容易に組み立てることができ、パネル体の枚数を自由に増やして平面視の多角形状を自由に変更させることができる。
【０００６】
また、本考案の乳幼児等のための囲い枠において、各パネル体は同一形状をなし、各パネル体の左右端縁の上下２個所が前記連結具で連結されているものとすることもできる。
こうすれば、各パネル体の左右端縁の上下２個所で連結具を介し各パネル体が連結されるため、連結強度が十分なものとなる。
【０００７】
また、本考案の乳幼児等のための囲い枠において、前記パネル体の枚数を増やすことにより、平面視四角形状，五角形状，六角形状，七角形状，八角形状に可変可能であるものとすることもできる。
こうすれば、パネル体の枚数を設置場所等に対応させて任意に増やすことで、四角形状から五角形状に変更させることができ、また、さらにパネル体の枚数を増やすことで六角形状，七角形状，八角形状等に自由に変更させて、面積をも拡大させることができるものとなる。
【０００８】
また、本考案の乳幼児等のための囲い枠において、前記連結具は、互いに隣接する一方側のパネル体に固定される第１部材と他方側のパネル体に固定される第２部材とで構成され、該第１部材および第２部材は、それぞれ前記パネル体に固定される固定片部に一体化されて上下方向に貫通する軸孔を有する筒部を備え、第１部材の軸孔と第２部材の軸孔を上下方向に整合させて両軸孔内に１本のボルトを挿通させることで第１部材と第２部材は互いに水平面内で回動可能に連結されるように構成されているとともに、第１部材の筒部と第２部材の筒部が当接する部位には水平面内での連結角度を選択して係合できる係合面が形成されているものとすることもできる。
こうすれば、一方側のパネル体に固定される第１部材と他方側のパネル体に固定される第２部材のそれぞれの筒部を上下方向に配置させて、筒部の軸孔内に１本のボルトを挿通させることで、ボルトを介し第１部材と第２部材が回動可能に連結されるものとなり、しかも第１部材および第２部材の各係合面を当接させて連結角度を決めることができ、一方側のパネル体と他方側のパネル体との連結角度を連結具により容易に変更させることができるものとなる。
【０００９】
また、本考案の乳幼児等のための囲い枠において、前記係合面は、山と谷が交互に形成され、第１部材側の山が第２部材側の谷に係合して連結角度が固定される構造であるものとすることもできる。
こうすれば、第１部材側の山と第２部材側の谷が係合することで係合面が当接して、連結角度が固定されることとなり、パネル体を四角形状に組み立てる時には連結角度を９０度に設定することができ、また、五角形状あるいは六角形状にする時には、それらに対応した連結具の連結角度に固定して、容易に任意の多角形状に複数のパネル体を連結固定させることができるものとなる。
【考案を実施するための最良の形態】
【００１０】
次に、本考案を実施するための最良の形態を実施例を用いて説明する。
図１は、平面視六角形状に組み立てた囲い枠の斜視構成図である。
囲い枠１は、六枚のパネル体２，２，２を連結させて組み立てたものであり、各パネル体２は、図２の正面拡大構成図で示すような形状に形成されている。
パネル体２は、上横板２ａと下横板２ｂが平行状に配設され、上横板２ａと下横板２ｂ間に左右方向に所定間隔で縦板２ｃ，２ｃ，２ｃが設けられて、柵状に形成されている。
このパネル体２の左右端縁、即ち上横板２ａおよび下横板２ｂの左右端縁にそれぞれ連結具３，３をビス１０で固定しておき、連結具３，３を介してパネル体２，２が連結されるものである。
【００１１】
連結具３は、図３に概略図で示すように、隣接する一方側のパネル体２にビス１０で固定される第１部材３ａと、他方側のパネル体２にビス１０で固定される第２部材３ｂで構成されている。
この連結具３の拡大分解斜視図を図４に示し、連結具３の連結状態を図５の斜視図で示す。
【００１２】
連結具３は、前述したように第１部材３ａと第２部材３ｂで構成されており、第１部材３ａと第２部材３ｂは、ほぼ同形状に形成されており、固定片部４の先端に一体状に筒部５が形成されたものである。固定片部４は板状に突出しており、その中央部には水平状に貫通してビス１０を通すビス孔４ａが形成されており、また、固定片部４の表裏側には、縦方向に複数のノコ歯状突起４ｂが形成されており、このノコ歯状突起４ｂによりパネル体２に固定片部４を当接させた時の滑りが防がれるように構成されている。
【００１３】
この第１部材３ａおよび第２部材３ｂの各固定片部４は、図２および図３のようにビス１０でパネル体２に予め固定しておくものである。また、筒部５の中央部には、上下方向に貫通して軸孔５ａが形成されており、軸孔５ａと連続して端側には軸孔５ａよりも大径の六角形状の六角孔５ｂが形成されている。
【００１４】
図４および図５に示すように、第１部材３ａ側では、この六角孔５ｂが上方を向いており、第２部材３ｂ側では、六角孔５ｂが下端側に配置される。即ち、第１部材３ａと第２部材３ｂは、ほぼ同一形状をなし、上下方向に相向き合いに配置されるものである。
この相向き合いに配置される第１部材３ａおよび第２部材３ｂの各筒部５が当接する係合面、即ち第１部材３ａの筒部５の下端および第２部材３ｂの筒部５の上端に、それぞれ係合面５ｃ，５ｃが形成されており、この係合面５ｃは、軸孔５ａの外周に山６と谷７が交互に周方向に切り込み形成されたものである。
【００１５】
第１部材３ａおよび第２部材３ｂをそれぞれ隣接する一方側および他方側のパネル体２にビス１０で固定しておき、その状態で第１部材３ａの筒部５の下方側に第２部材３ｂの筒部５を整合配置させ、第１部材３ａの軸孔５ａ内に上方からボルト８を挿通させてゆき、ボルト８を第２部材３ｂの軸孔５ａ内に挿通させることで、第１部材３ａと第２部材３ｂを上下方向に同軸状に連結することができ、この場合、第２部材３ｂの六角孔５ｂ内に予めナット９を固設させておけば、このナット９にボルト８の下端を螺合させてゆき、ボルト８の上端の頭部８ａに形成されているレンチ孔８ｂ内にレンチを入れて回転させて、ボルト８をナット９に締め付けてゆくと、図５に示すように、連結具３を構成する第１部材３ａと第２部材３ｂが連結固定されることとなる。
【００１６】
この際、係合面５ｃの山６と谷７が噛み合い、即ち、第１部材３ａの係合面５ｃの山６が第２部材３ｂの係合面５ｃの谷７に係合されることで、連結具３の水平面内での連結角度が固定状態となる。
なお、例えば係合面５ｃの山６は等間隔で１２個形成されたものであれば良く、また、山６は２４個あるいは３６個、等間隔で形成したものであっても良い。
【００１７】
図１のように六角形状の囲い枠１を形成させる際には、隣接するパネル体２，２を１２０度の連結角度で連結させれば良いが、このような１２０度の連結角度になるように、図５のように、係合面５ｃの山６を谷７に係合させて１２０度の連結角度にし、ボルト９を締め付けて連結具３を固定することができるものである。
なお、各連結具３を図５のように固定することで、図１のように六枚のパネル体２が強固に連結されて、平面視六角形状の囲い枠１が完成されるものである。
【００１８】
このように形成した囲い枠１は、家庭内等で所定位置に設置して、内部に乳幼児を入れて遊ばせることができ、また、乳幼児に代えて、子犬等のペット等をこの囲い枠１内に入れて囲っておくことができるものである。
なお、連結具３の固定片部４の筒部５からの突出寸法は、例えば２８ｍｍであり、筒部５は半径１０ｍｍ程度の寸法に設定しておくことができ、また、軸部５ａは７ｍｍ程度の径に設定しておくことができる。
【００１９】
なお、本例の囲い枠１を構成する各パネル体２は木製であるが、木製に限定されるものではない。
なお、本例では、囲い枠１は平面視六角形状のものを例示しているが、四枚のパネル体２を用いて平面視四角形状の囲い枠１を形成することもできる。この場合は、連結具３の第１部材３ａと第２部材３ｂを図５のように連結固定させる際に、９０度の連結角度で固定されるように係合面５ｃの山６と谷７の係合状態を選択して連結固定すれば良い。
【００２０】
なお、平面視正方形状に限らず、平面視長方形状の囲い枠１をも形成させることができるものであり、この場合は、長手方向の側面を二枚のパネル体２を並列させて連結して長方形状とすることができる。この二枚のパネル体２を一直線状に連結する際には、連結具の第１部材３ａと第２部材３ｂの連結角度が１８０度となるように係合面５ｃの山６と谷７の係合状態を選択すれば良い。
【００２１】
なお、更に、五枚のパネル体２を用いて平面視五角形状の囲い枠１を形成させることもでき、更には、七枚のパネル体２を用いて平面視七角形状の囲い枠１を形成させることもでき、更には、八枚のパネル体２を用いて平面視八角形状の囲い枠１を形成させることもでき、パネル体２の枚数を増やすことで平面視形状を容易に変更させることができ、また、囲い枠１内の面積を拡張あるいは縮小させることも容易なものとなる。
即ち、囲い枠１の形やスペースは、連結するパネル体２の枚数の増減により容易に変更が可能である。
【００２２】
なお、連結具３の係合面５ｃの山６の数が１２個の場合に、平面視五角形状および平面視七角形状にパネル体２を組み立てる際には、山６と谷７が噛み合わなくなるが、この場合は、例えば図４の第１部材３ａの下端の係合面５ｃと第２部材３ｂの上端の係合面５ｃ間に、一枚あるいは二枚のドーナツ状の、例えば塩化ビニール製の反発力のある樹脂ワッシャーを噛ませておくことにより、ボルト８をナット９に締め付けた際に、この反発力のある樹脂ワッシャーが上下の係合面５ｃ，５ｃ間で挟圧され、これにより、第１部材３ａと第２部材３ｂを五角形状あるいは七角形状に対応した連結角度に固定することができるものとなる。
【００２３】
なお、係合面５ｃの山６の数が２４あるいは３６の場合には、このような樹脂ワッシャーを用いなくても良好に所定の連結角度で第１部材３ａと第２部材３ｂを固定できるものである。
なお、囲い枠１を構成する複数のパネル体２のうち、一枚のパネル体２は、内部へ出入りするためのドアとして開閉できるように構成しておくと良いが、この場合には、開閉させるパネル体２の左右端縁に、例えば図６に分解斜視図で示すような構造の連結部材を用いることができる。
【００２４】
図６に示す部材は、図４の第２部材３ｂをそのまま利用したものであり、この第２部材３ｂを図４とは逆に第１部材３ａよりも上側に配置させて、パネル体２にビス１０で固定させるものである。
第２部材３ｂの筒部５の下端の六角孔５ｂ内には、下方よりコイルスプリングを嵌め込んでおく。このコイルスプリング１１の外径寸法は軸孔５ａよりも大径であるため、コイルスプリング１１が軸孔５ａ内に嵌まり込むことはない。
【００２５】
この状態で下方側よりコイルスプリング１１内にボルト１２を挿通させ、ボルト１２を第２部材３ｂの軸孔５ａ内に差し込んで、ボルト１２の上端の雄ネジ部１２ｄに対し、第２部材３ｂの上方側から、雌ネジ部１３ａを有するツマミ１３を螺合させて、第２部材３ｂにコイルスプリング１１を介在させて、上端にツマミ１３を備えたボルト１２を取り付ける。即ちボルト１２は、下端側の大径部１２ａの上端に段部２ｂが形成されて、小径の挿入部１２ｃが立ち上がり、挿入部１２ｃの上端に雄ネジを形成した雄ネジ部１２ｄが一体形成されたものである。
【００２６】
挿入部１２ｃは軸孔５ａ内に挿通されるが、大径部１２ａは軸孔５ａよりも大径であり、挿通されることはなく、段部１２ｂにコイルスプリング１１の下端が当接状態となる。従ってコイルスプリング１１を介在させてボルト１２を軸孔５ａ内に挿通させて、上端にツマミ１３を螺合固定させた状態では、コイルスプリング１１の付勢力により、ボルト１２の大径部１２ａは下方側へ突出状に付勢された状態に維持されることとなり、ツマミ１３を上方へ引き上げるとボルト１２も上方へ引き上げられるため、この状態で、第２部材３ｂの下方側に、隣接する別のパネル体２に固定されている第１部材３ａの筒部５を配置させ、ツマミ１３から手を離すと、隣接する別のパネル体２に固定されている第１部材３ａの筒部５の六角孔５ｂ内に、コイルスプリング１１の付勢力で大径部１２ａが下降して係入されることとなる。
【００２７】
このように、ツマミ１３を手で握って引き上げることにより、ボルトの大径部１２ａを下方側の第１部材３ａの六角孔５ｂ上に引き上げることができ、ツマミ１３を上方へ引き上げる動作により第２部材３ｂを第１部材３ａに対し容易に離反させることができて、ドアとなるパネル体２をツマミ１３を引き上げて容易に開けることができるものとなる。
また、ツマミ１３から手を離すことでコイルスプリング１１の付勢力により大径部１２ａが下降して、第１部材３ａに係合されることで、第１部材３ａと第２部材３ｂを連結させることができ、ドアとなるパネル体２を閉じることができるものとなる。
【図面の簡単な説明】
【００２８】
【図１】平面視六角形状に組み立てられた囲い枠の斜視構成図である。
【図２】囲い枠を構成するパネル体の正面拡大構成図である。
【図３】隣接するパネル体の端縁に連結具を構成する第１部材と第２部材をそれぞれ固設した状態の要部斜視構成図である。
【図４】連結具の分解斜視構成図である。
【図５】図４の連結具をボルトを締め付けて連結させた状態の斜視構成図である。
【図６】パネル体の一部を容易に開閉できるようにするために用いられる連結具の分解斜視図である。
【符号の説明】
【００２９】
１  囲い枠
２  パネル体
２ａ  上横板
２ｂ  下横板
２ｃ  縦板
３  連結具
３ａ  第１部材
３ｂ  第２部材
４  固定片部
４ａ  ビス孔
４ｂ  ノコ歯状突起
５  筒部
５ａ  軸孔
５ｂ  六角孔
５ｃ  係合面
６  山
７  谷
８  ボルト
８ａ  頭部
９  ナット
１０  ビス
１１  コイルスプリング
１２  ボルト
１２ａ  大径部
１２ｄ  雄ネジ部
１３  ツマミ
１３ａ  雌ネジ部
【図１】
0003145500.tif 000003
【図２】
0003145500.tif 000004
【図３】
0003145500.tif 000005
【図４】
0003145500.tif 000006
【図５】
0003145500.tif 000007
【図６】
0003145500.tif 000008